(57)【要約】【課題】利用者の好みや視力に応じた表示を表示装置に行わせる。【解決手段】表示装置に対してデータを提供する情報提供装置であって、前記情報提供装置における表示設定を保存する表示設定保存部と、前記表示用データを前記表示設定に基づいて調整し第１の表示用データを生成する表示用データ生成部と、前記第１の表示用データを前記表示装置に提供するデータ送信部とを有することを特徴とする情報提供装置。【選択図】図４
2014059536.tif 000002
【特許請求の範囲】
【請求項１】
表示装置に対して表示用データを提供する情報提供装置であって、
前記情報提供装置における表示設定を保存する表示設定保存部と、
前記表示用データを前記表示設定に基づいて調整した第１の表示用データを生成する表示用データ生成部と、
前記第１の表示用データを前記表示装置に提供するデータ送信部と
を有することを特徴とする情報提供装置。
【請求項２】
前記表示用データ生成部は、
前記表示データを、前記表示設定に近くなる方向に調整することを特徴とする請求項１に記載の情報提供装置。
【請求項３】
さらに、前記表示装置の表示特性情報を取得する表示機器情報取得部を有し、
前記表示用データ生成部は、前記表示設定に加えて前記表示装置の表示特性情報も考慮して調整した第２の表示用データを生成し、
前記データ送信部は、前記調整した第２の表示用データを前記表示装置に提供することを特徴とする請求項１又は２に記載の情報提供装置。
【請求項４】
前記表示装置の表示特性情報を表示装置毎に記録する表示機器特性情報保存部を有し、
前記表示用データ生成部は、前記表示機器特性情報保存部に記憶された表示装置毎の前記表示特性情報により前記第２の表示用データを表示装置毎に生成し、
前記データ送信部は、前記調整したそれぞれの第２の表示用データを前記表示装置毎に提供することを特徴とする請求項３に記載の情報提供装置。
【請求項５】
前記表示装置の表示特性情報は、表示装置の表示画面サイズ、多画面表示の有無のうち、少なくともいずれか１つを含むことを特徴とする請求項３又は４に記載の情報提供装置。
【請求項６】
前記表示装置の表示特性情報の設定を行う設定画面を有することを特徴とする請求項３から５までのいずれか１項に記載の情報提供装置。
【請求項７】
表示装置に対して表示用データを提供する情報提供装置における情報処理方法であって、
前記情報提供装置における表示設定に基づいて調整した第１の表示用データを生成する表示用データ生成ステップと、
前記第１の表示用データを前記表示装置に提供するデータ送信ステップと
を有することを特徴とする情報処理方法。
【請求項８】
請求項７に記載の情報処理方法をコンピュータに実行させるためのプログラム。
【発明の詳細な説明】
【技術分野】
【０００１】
本発明は、情報提供装置等に関する。
【背景技術】
【０００２】
外部装置に対して、ウェブページの情報を送信する情報提供サーバが一般に用いられている。
下記特許文献１に記載の技術は、外部装置に対してＷｅｂページ情報を送信する情報提供サーバであって、アクセスしてきた外部装置から受信した、外部装置の表示画面のサイズなどを特定する情報に応じた決定情報群を保存手段から取得し、保存手段に保存されている（Ｗｅｂページ）データを取得した決定情報に従って表示変換等をする変換手段を備え、当該変換した（Ｗｅｂページ）データをアクセスしてきた外部装置に送信するシステムを開示する。
これにより、アクセスしてきた外部装置の性能に合わせて元データの変換を行い、外部装置に合わせたデータを送ることができる。
【先行技術文献】
【特許文献】
【０００３】
【特許文献１】特開２００３−２８１０３０号公報
【発明の概要】
【発明が解決しようとする課題】
【０００４】
情報提供サーバが携帯端末等である場合もあるが、特許文献１に記載の技術では、情報提供サーバ側で通常使用されている表示文字のサイズや文字フォントといった表示設定等を考慮したデータの変換がされていないという問題があった。
そのため、例えば、情報提供サーバが携帯端末等である場合に、外部装置（テレビ等のディスプレイや他の携帯電話）に携帯端末で普段表示されている文字の大きさや文字のフォントといった表示状況に基づいた表示を行わせることができないという問題があった。
本発明は、利用者の好みや視力に応じた表示を表示装置に行わせることを目的とする。
【課題を解決するための手段】
【０００５】
本発明の一観点によれば、表示装置に対して表示用データを提供する情報提供装置であって、前記情報提供装置における表示設定を保存する表示設定保存部と、前記表示データを前記表示設定に基づいて調整し第１の表示用データを生成する表示用データ生成部と、前記第１の表示用データを前記表示装置に提供するデータ送信部と、を有することを特徴とする情報提供装置が提供される。これにより、携帯端末の利用者が普段使用している表示の設定に基づき、表示装置への表示を行うため、携帯端末等の情報提供側の利用者の好みや視力に応じた表示を表示装置に行わせることができる。
【０００６】
前記表示用データ生成部は、前記表示データを、前記表示設定に近くなる方向に調整することが好ましい。前記表示データを、前記表示設定に近くなる方向に調整するとは、表示設定の表示サイズ、表示形態に近くなる方向に調整することである。
【０００７】
前記表示用データ生成部は、さらに、前記表示装置の表示特性情報を取得する表示機器情報取得部を有し、前記表示設定に加えて前記表示装置の表示特性情報も考慮して調整した第２の表示用データを生成し、前記データ送信部は、前記調整した第２の表示用データを前記表示装置に提供することができる。これにより、携帯端末等の情報提供側の利用者の好みや視力に加えて、表示装置側のサイズや状態なども考慮した表示を表示装置に行わせることができる。
【０００８】
前記表示装置に関する特性情報を表示装置毎に記録する表示機器特性情報保存部を有し、前記表示用データ生成部は、前記表示機器特性情報保存部に記憶された表示装置毎の表示装置に関する特性情報により前記第２の表示用データを表示装置毎に生成し、前記データ送信部は、前記調整したそれぞれの第２の表示用データを前記表示装置毎に提供するようにしても良い。これにより、多数の表示装置に情報を提供する場合には、それぞれの表示装置に適したデータをソース側で調整して、送ることができる。
【０００９】
前記表示装置に関する特性情報は、表示装置の表示画面サイズ、多画面表示の有無のうち、少なくともいずれか１つを含むことを特徴とする。また、表示装置の情報を設定させるための表示装置情報の設定画面を有することが好ましい。
【００１０】
本発明の他の観点によれば、表示装置に対して表示用データを提供する情報提供装置における情報処理方法であって、前記情報提供装置における表示設定に基づいて調整した第１の表示用データを生成する表示用データ生成ステップと、前記第１の表示用データを前記表示装置に提供するデータ送信ステップと、を有することを特徴とする情報処理方法が提供される。
【００１１】
本発明は、上記に記載の情報処理方法をコンピュータに実行させるためのプログラムであっても良く、当該プログラムを記録するコンピュータ読み取り可能な記録媒体であっても良い。
【発明の効果】
【００１２】
本発明によれば、情報提供装置の表示設定に基づき表示装置への表示が行われるので、情報提供装置の利用者の好みや視力等に応じた表示を行わせることができる。
【図面の簡単な説明】
【００１３】
【図１】本発明の第１の実施の形態による情報提供技術を用いた情報提供システムの一構成例を示す機能ブロック図である。
【図２】図１に示す携帯端末１側の表示設定を考慮して表示装置で表示させる際に、表示装置１１側の表示部１５のサイズ等も考慮して表示装置１１で表示させる様子を示す概念図である。
【図３】本実施の形態による携帯端末１の一構成例を示す機能ブロック図である。
【図４】図３に対応する図であり、携帯端末１のソフトウェアブロック図である。
【図５】表示装置の一構成例を示す機能ブロック図である。
【図６】メールデータ／ドキュメントデータを表示装置に表示させる際の全体動作を示すシーケンス図である。
【図７】図６のシーケンスに沿った携帯端末における画面表示例を示す図である。
【図８】図６に示すシーケンス図に対応する処理の流れを示すフローチャート図である。
【図９】本発明の第２の実施の形態による情報提供装置における、図６に対応するシーケンス図である。
【図１０】本発明の第２の実施の形態による情報提供装置における、図８に対応するフローチャート図である。
【発明を実施するための形態】
【００１４】
本明細書において、表示用データとは、携帯端末等から表示装置に提供され、表示装置において表示を行わせるためのデータである。
以下、本発明の実施の形態による情報提供技術について、図面を参照しながら説明を行う。本実施の形態において、携帯端末とは、携帯電話、スマートフォン、携帯型のＰＣなど、名称を問わない。また、表示装置も、表示機能を有する情報処理装置が含まれる。
【００１５】
図１は、本発明の第１の実施の形態による情報提供技術を用いた情報提供システムの一構成例を示す機能ブロック図である。ＨＴＴＰサーバ／ＤＬＮＡサーバとして携帯端末１内のデータを表示装置１１等に提供（ＤＬＮＡサーバの場合は、ＪＰＥＧ形式に変換するなどして提供）する。図１に示すように、本実施の形態による情報提供システムは、情報提供装置（情報提供サーバ）として用いられる携帯端末１と、携帯端末１から提供された情報を表示する表示装置（外部機器）１１とを有している。携帯端末１と表示装置１１とは、例えば、無線ＬＡＮアクセスポイントＡＰを介してＬＡＮＬ１などにより通信可能に構成されている。携帯端末１は、ＨＴＴＰサーバ/ＤＬＮＡ（Ｄｉｇｉｔａｌ  Ｌｉｖｉｎｇ  Ｎｅｔｗｏｒｋ  Ａｌｌｉａｎｃｅ）サーバとして携帯端末内の表示用データを提供する（ＤＬＮＡサーバの場合は、ＪＰＥＧに変換するなどして提供する）。表示装置１１においては、ＷｅｂブラウザやＤＬＮＡプレーヤーを用いて携帯端末１内のデータを閲覧できる。
【００１６】
すなわち、携帯端末１内において保持している電子メールやテキストデータ、また文書ファイルや図面ファイルなどのドキュメントファイルを、テレビジョン受信装置やパーソナルコンピュータなどの大きなディスプレイに見やすく表示させたり、料理のレシピ情報をキッチンに設置したディスプレイに表示させたりすることができる。
【００１７】
一方、携帯端末１側の端末設定として、携帯端末１の表示部３に表示させる場合の文字サイズや文字フォントに関する設定が存在する。この際、個人で使用する携帯端末１においては、ユーザ自身の視力や好み等に応じて、携帯端末１における表示サイズの大小やフォントサイズを調整したり、フォント設定を変更したりすることが行われるのが一般的である。デフォルト設定が好みであれば、そのデフォルト設定値を利用する場合もある。本発明の実施の形態は、外部表示装置１１に携帯端末１のデータを表示させる際に、この携帯端末１の端末側設定を考慮することを特徴とする。
【００１８】
図１（ａ）に示すように、携帯端末１側の表示設定として、文字サイズ設定で小が設定されている場合には、携帯端末１側のファイルは、フォント情報を小にしたｈｔｍｌに変換され、表示装置１１側に提供されて表示装置１１で表示等が可能になる。すると、携帯端末１側の表示設定を考慮して、フォント情報を小にして表示装置１１の表示部１５に携帯端末１側から提供された情報を表示することができる。
【００１９】
図１（ｂ）に示すように、携帯端末１側の表示設定として、文字サイズ設定で大が設定されている場合には、携帯端末１側のファイルは、フォント情報を大にしたｈｔｍｌに変換され、表示装置１１側に提供されて表示装置１１で表示等が可能になる。すると、携帯端末１側の表示設定を考慮して、フォント情報を大にして表示装置１１の表示部１５に携帯端末１側から提供された情報を表示することができる。
【００２０】
以上のように、携帯端末１内に保持しているメールやテキストデータ、また文書や図面などのドキュメントファイルを、テレビジョン受信装置や大型のパーソナルコンピュータ等の大きなディスプレイに見やすく表示したり、レシピ情報をキッチンに設置したディスプレイに表示したりする利用形態に活用できる。
【００２１】
携帯端末１側では、ユーザが見やすいように、自身の視力や好みに応じて文字サイズを大きくしたり、フォント設定を変更したりすることができる。この携帯端末１側の表示設定における、表示時の文字サイズや文字フォントに関する設定を利用して、携帯端末１のファイルの情報を表示機器１１に表示させるものである。
【００２２】
このようにすると、携帯端末１のユーザの年齢や視力、好み（ユーザ属性）に応じて、携帯端末１から提供されたデータを表示装置１１で表示させることができる。
【００２３】
図２は、図１に示す携帯端末１側の表示設定を考慮して表示装置で表示させる際に、表示装置１１側の表示部１５のサイズ等も考慮して表示装置１１で表示させる様子を示す概念図である。図２に示すように、テレビなどの大型なディスプレイ１５を有する表示装置１１と、タブレット端末などの中型のディスプレイ１５ａを有する表示装置１１ａと、携帯電話などの小型のディスプレイ１５ｂを有する表示装置１１ｂとにおいてデータを表示させる。
【００２４】
この際に、表示装置１１のように、提供先ディスプレイのサイズが大きい場合は、表示装置１１への送信データにおいて、携帯端末１における表示用データのフォントサイズを小さめにして送り（Ｆ１）、提供先ディスプレイのサイズが中程度の場合は、表示装置１１ａへの送信データにおいて、携帯端末１における表示用データのフォントサイズを中程度にして送り（Ｆ２）、提供先ディスプレイのサイズが小さい場合は、表示装置１１ｂへの送信データにおいて、携帯端末１における表示用データのフォントサイズを大きめにして送る（Ｆ３）。
【００２５】
このように、表示領域のサイズは表示装置１１によって異なるため、携帯端末１において、対象の表示装置に依存せずに常に同じデータを送っていると、表示装置１１側で表示させた場合に、必要以上に文字サイズが大きくなったり、小さくなったりする恐れもある。そこで、データを提供する表示装置１１の表示サイズ情報も加味して、携帯端末１側から送られるフォントサイズ等の情報を、補正する。
【００２６】
以下に、携帯端末１の詳細な構成について説明する。図３は、本実施の形態による携帯端末１の一構成例を示す機能ブロック図である。アクセスポイントＡＰは、ＷＬＡＮの基地局として、携帯端末１と通信を行い、通信ネットワークを介しインターネットへの接続を実現する。
【００２７】
制御部（ＣＰＵ：  Central Processing Unit）５は、プログラム保存領域に格納されたプログラムを動作させ、各種制御を行う。
入力部２３は、操作キー、タッチパネル等により、ユーザからの入力を受け付ける。
【００２８】
記憶部７は、各種データ、プログラムの格納領域であり、フラッシュメモリなどにより構成することができる。記憶部７には、以下の領域が設けられる。
プログラム保存領域７ａは、ＣＰＵ５上で動作させる後述するプログラムを格納する。メール保存領域７ｂは、受信したメールデータを保存している領域である。表示装置１１への表示要求があった場合には、この領域から実データを取得する。
【００２９】
ドキュメント保存領域７ｃは、文書ファイルや図面ファイル等のドキュメントファイルを保存している領域である。表示装置１１への表示要求があった場合には、この領域から実データを取得する。
【００３０】
端末表示設定保存領域（表示設定保存部）７ｄは、携帯端末１側の表示に関わる情報を格納する。文字のサイズやフォント、壁紙情報等を保持する。
【００３１】
表示機器特性情報保存領域７ｅは、表示装置１１に関する表示特性情報が保存されている領域である。例えば、表示装置１１の機種名から判明した、表示サイズ等の表示機器の特性情報を保持する。ユーザによって設定された表示機器の表示サイズ（例：ＬＣＤのサイズ２０インチ、解像度1920x1080など）の情報も保存するようにしても良い。
【００３２】
表示機器設定保存領域７ｆは、表示機器を識別するための情報を保存する。例えば、ユーザによって設定されたネットワーク内の表示装置が設定され、表示装置を識別する情報（MACアドレス、IPアドレス等）を表示機器設定保存領域７ｆ内に保存する。
【００３３】
メモリ２５は、各種制御を行う際に使用する一時メモリで、プログラムを読み出して高速に処理する際にデータを一時的に格納する。
【００３４】
ＷＬＡＮ通信部１７は、ＷＬＡＮモジュール１７ａやアンテナＡＴから構成され、無線ＬＡＮの接続制御やデータ送受信を行う。ＣＰＵ５からのスキャン、接続、データ通信等の要求に従い動作する。
【００３５】
表示制御部２は、例えばＬＣＤからなる表示部３の表示制御を行い、各種操作画面等を表示する。音声入力部１２は、マイクなどから構成され、携帯電話網との通話時に音声の入力を行う。音声出力部１６は、スピーカ、レシーバなどから構成され、携帯電話網との通話時に音声の出力を行う。３Ｇ通信部２１は、携帯電話網と接続し、音声通話やパケット通信等を行う。
【００３６】
図４は、図３に対応する図であり、携帯端末１のソフトウェアブロック図である。
ＷＬＡＮ制御部３３は、ＷＬＡＮアクセスポイントの検索・接続・認証等の制御を行う。データ送受信部３５は、ＷＬＡＮを介してＨＴＴＰのデータ送受信を行う。コマンド送受信部３７は、ＷＬＡＮを介してＴＶ等の表示装置１１と各種制御コマンドの送受信を行う。機器検索部３９は、ＷＬＡＮを介して、外部表示に対応した表示装置の検索を行う。外部表示要求処理部４１は、ユーザからの操作で表示装置１１に対して、データの表示要求を行う。表示機器設定部４３は、外部表示要求を行った際にデータを表示する機器を設定する。設定した機器は、表示機器設定保存領域７ｆに保存される。その際、表示装置１１のＭＡＣアドレスやＩＰアドレスの情報のほか、表示装置１１の機種名も保持される。
【００３７】
ＨＴＴＰサーバ部３１は、携帯端末１のデータをＨＴＴＰサーバで提供することで、表示装置１１側から表示可能にするためのものである。レスポンス送信部３１ａは、表示装置１１からのＨＴＴＰ  ＧＥＴ要求に対して、レスポンスを生成し、表示用データの送信を行う。リクエスト受信部３１ｂは、表示装置１１からのＨＴＴＰ  ＧＥＴ要求を受け付ける。
【００３８】
リクエスト解析部３１ｃは、表示装置１１からのＨＴＴＰ  ＧＥＴ要求の内容を解析する。解析した内容により、表示用データ生成部４５に対し、データの出力要求を行う。ＵＲＬ生成部３１ｄは、表示装置１１に対して提供するＵＲＬを生成する。例えば、http://192.168.0.100/temp1.htmlなどである。
【００３９】
ＵＲＬ情報は、コマンド送受信部３７に伝えられ、表示機器設定保存領域７ｆに保存された表示装置１１に対する表示要求コマンドに付加されて送信される。
【００４０】
表示用データ生成部４５は、表示データ取得部４７により、メール保存領域７ｂやドキュメント保存領域７ｃから取得したメールやドキュメント等のデータを提供できる形式に変換する。この際、端末表示設定取得部５１により取得された携帯端末１の表示設定に基づいて、データの生成を行う。すなわち、携帯端末１の表示設定の文字サイズ設定に基づき、表示用データのフォントサイズを設定する。また、携帯端末１の表示設定のフォント設定に基づき、表示用データのフォントを設定する。そして、携帯端末１の壁紙に設定された画像ファイルを、表示用データの背景データとして使用する。ｈｔｍｌデータ生成部４５ａは、メールデータやテキストメモを提供する場合に、htmlの形式でデータを生成する。画像データ生成部４５ｂは、文書データや図面データなどのドキュメントファイルを提供する際、そのままの形式では表示装置１１で表示できない場合に、データを画像ファイル(JPEG)の形式に変換して生成する。ドキュメントデータ生成部４５ｃは、文書データや図形データなどのドキュメントデータを提供する場合に、フォント情報やフォントサイズ情報を端末表示設定に基づき、変更した上で提供するように変換する。
【００４１】
表示データ取得部４７は、提供するデータを取得する。メールデータの場合は、メール保存領域７ｂより取得する。ドキュメントファイルの場合はドキュメント保存領域７ｃから取得する。
【００４２】
端末表示設定取得部５１は、携帯端末１の表示設定に関する情報を取得する。この情報は、文字サイズ、文字フォント、壁紙設定等である。携帯端末１自体の設定のほか、メールソフト等の各種アプリケーションが保持する設定より取得してもよい。表示機器情報取得部５３は、表示装置１１に関する情報を表示機器特性情報保存領域７ｅより、取得する。表示装置１１の機種名から判定できる表示サイズの情報やユーザによって設定された表示機器の表示サイズ情報等を取得する。
【００４３】
図５は、表示装置の一構成例を示す機能ブロック図である。図５に示すように、表示装置１１は、表示部１５と、通信部１７と、操作部６１と、表示制御部６３と、ＣＰＵ６５と、メモリ６７と、記憶部６８とを有する一般的な表示装置である。記憶部６８は、プログラム保存領域６８ａと、設定値保存領域６８ｂとを有する。設定値保存領域６８ｂは、表示装置１１側の設定値を保存する。この設定値を、携帯端末１に提供することができるように構成されている。
【００４４】
以下に、本実施の形態による情報提供方法について説明する。
図６は、メールデータ／ドキュメントデータを表示装置に表示させる際の全体動作を示すシーケンス図であり、図７は、図６のシーケンスに沿った携帯端末における画面表示例を示す図である。
【００４５】
まず、携帯端末１が、周辺のＷＬＡＮアクセスポイントＡＰの検索を行い（Ｌ１）、接続可能なアクセスポイントＡＰに対して、接続（アソシエート）を試みるように要求する（Ｌ２）。認証が必要なアクセスポイントＡＰの場合は、認証を行い（Ｌ３）、認証完了後に、ＤＨＣＰサーバからＩＰアドレスの取得を行う（Ｌ４）。これにより、ＷＬＡＮ接続が完了する（Ｌ５）。
【００４６】
次にネットワーク内の表示装置１１の検索を行う。具体的には、ネットワーク内にマルチキャストパケットで検索要求パケットの送出を行い、それぞれの表示装置１１からの応答を待つ（Ｌ６−Ｌ９）。ここで、表示装置１１として、ＴＶ１、ＴＶ２、タブレット、スマートフォンなどに機器検索要求を出す。
【００４７】
マルチキャストパケットを受けた表示装置（テレビやタブレット端末、スマートフォン端末）で表示要求にこたえられるものは応答を返す（例：Ｌ１０、Ｌ１１−１、Ｌ１１−２）。この際、各表示装置１１の機種名情報や、対応する制御コマンドに関する情報等が応答に含められる。
【００４８】
携帯端末１は、受信した応答パケットから表１に示すような機器リスト情報を生成する（Ｌ１２）。そして、生成した機器リスト情報から、図７に示す１）の画面図のようなリスト画面を表示する。この表示例では、ＴＶ(４０インチ)、タブレット端末、スマートフォンから応答があり、表示装置１１の設定候補としてこの３つの表示装置の名称やＩＤが表示されている。
【表１】
2014059536.tif 000003
【００４９】
表１は、表示装置の機器リスト情報の構成例を示す表である。機器MACアドレスは、機器のMACアドレスであり、例えば、00:11:22:33:44:55等で示される。機器IPアドレスは、機器のIPアドレスであり、例えば、192.168.0.6等で示される。機器フレンドリ名は、ＴＶ等の表示装置に設定された名称であり、例えば、ＡＱＵＯＳ  ＴＶ  ４０インチなどで示される。機器メーカーは、機器のメーカー名であり、例えば、Sharpなどと示される。機器URI情報は、指定機器にコマンド要求を行う場合のURIであり、例えば、http://192.168.0.6/command/などで示される。機器機能情報は、機器が持っている対応機能に関する情報であり、対応コマンド情報である。このうち、メーカー名や対応コマンド情報から、外部表示に対応した機器かどうかの選別を行うことができる。
【００５０】
ユーザが、１）の画面図のリストの中から、実際に外部表示を行わせたい表示装置１１を選択する（Ｌ１３）。なお、２）の画面図では、１）の画面図のリストの中から選択した表示装置１１の表示サイズの設定を携帯端末１側で行うこともできることを示しており、後述する表示装置１１側の表示特性（表示サイズなど）を反映させる際の操作の一例を示す。図６の処理では、２）の画面は用いない。
【００５１】
ユーザが、電子メールのデータを他の表示装置で表示させたい場合は、３）の画面図で、携帯端末１において、例えば受信した電子メールの送信者、タイトル、内容などを確認し、次いで、４）の画面図でメール操作という項目のメニュの中から、ＴＶへの表示を選択する操作を行うことで、表示装置１１への表示要求を行うことができる（Ｔ１）。ＴＶのような大きな画面で表示することで、受信した電子メールの視認性を高めることができる。
【００５２】
携帯端末１で受信した電子メール等を、テレビなどで大きく表示させて、個人的に確認するシーンや大勢で見るなどのシーンに応用できる。
【００５３】
Ｌ１４では、メールデータを他の表示装置１１に表示させるために、携帯端末１内のＨＴＴＰサーバからデータを提供する。このために、メールのテキストデータをｈｔｍｌ形式に変換して提供する。この際に、携帯端末１の表示設定に基づき、フォントのサイズやフォント種別の設定を行う。
【００５４】
続いて、メールデータを提供するためのＵＲＬを含んだ表示要求コマンドを設定した表示機器に送信する。この例では、ＴＶ（４０インチ）に対して送信している（Ｌ１５）。
表示要求を受けたＴＶは、指定されたＵＲＬにＨＴＴＰ通信にてアクセスする（Ｌ１６、Ｌ１７）。端末はＨＴＴＰサーバよりｈｔｍｌ（メール）データを送信し（Ｌ１８）、表示装置１１のうちのＴＶがｈｔｍｌ（メール）データの表示を行う（Ｌ１９）。
【００５５】
文書ファイルや図面ファイルなどのドキュメントのファイルをＴＶ表示させたい場合（Ｔ２）に、ユーザが表示要求を行う。文書ファイルや図面ファイルのそれぞれの形式の表示にＴＶ自体が対応していない場合は、元のドキュメントファイルを静止画（JPEG）等のどのような機器でも対応している形式に変換して、提供するようにすると良い（Ｌ２０）。この際、携帯端末１の表示設定に基づき、ドキュメントファイルの拡大・縮小を行ったものを静止画に変換する。尚、メールデータの場合と同様、ＵＲＬを含んだ表示要求コマンドを設定したＴＶに送信する（Ｌ２１）。
【００５６】
表示要求を受けたＴＶは、指定されたＵＲＬにＨＴＴＰ通信にて携帯端末１（サーバ）にアクセスする（Ｌ２２・Ｌ２３）。携帯端末１はＨＴＴＰサーバから提供するドキュメントデータを静止画（ＪＰＥＧ）データの形式で送信し（Ｌ２４）、ＴＶがドキュメントデータを静止画（ＪＰＥＧ）データの形式で表示する（Ｌ２５）。
【００５７】
上記のシーケンス図は、メールデータやドキュメントデータを表示装置１１に表示させるにあたり、表示装置１１の設定を行った後に、実際にユーザが表示装置１１への表示要求を行った場合を表した図である。
【００５８】
メールデータやテキストデータ、ドキュメントデータ等を提供する際に、携帯端末１側における表示設定に合わせたフォントサイズやフォント種別で提供することにより、携帯端末１のユーザの好みや視力に応じた表示装置１１への表示を行わせることができるという利点がある。
【００５９】
また、１台のＴＶに対して複数の利用者が自分の端末データを提供するような場合もありうるが、端末設定の壁紙データを表示用データの背景に利用するなどの方法により、どの携帯端末１のデータが提供されているかを、わかりやすくすることができる。
【００６０】
なお、本実施例では、携帯端末１における表示設定に合わせた提供するようにしているが、携帯端末１の機種に合わせた提供をするようにしてもよい。たとえば、シニア向けの携帯端末１を使用している場合であれば、表示設定に関わらず、フォントサイズを大きくして提供することで、ユーザの視力に応じた表示装置１１への表示を行わせることができる。
【００６１】
図８は、図６に示すシーケンス図に対応する処理の流れを示すフローチャート図である。ステップＳ１で処理が開始され、ステップＳ２で、ＷＬＡＮ制御部３３が、周辺のＷＬＡＮアクセスポイントＡＰのスキャン、接続（アソシエート）、認証処理を行い、ＷＬＡＮの接続を完了させる。
【００６２】
ステップＳ３で、入力部２３からの要求操作に基づき、機器検索部３９がマルチキャストパケットによる表示装置１１の検索処理を行う。
【００６３】
ステップＳ４で、機器検索部３９がＴＶ等の表示装置１１からの応答を受信し、機器リスト（表１）を生成する。リスト情報はＵＩ画面（表示部３）にリスト表示される。
【００６４】
ステップＳ５で、入力部２３からの情報に基づき、表示機器設定部４３が表示装置１１を選択する。選択された表示装置１１に関する情報は、表示機器設定保存領域７ｆに保存される。
【００６５】
ステップＳ６で、外部表示要求処理部４１がユーザからの操作によるデータの外部表示要求を受ける。ステップＳ７で、外部表示要求処理部４１は、表示要求データが表示装置１１に表示可能かどうか（表示装置に表示できるデータか）を判定する（ステップＳ７）。例えば、シークレット設定がなされたプライベートなデータなど、外部表示を行うのが好ましくないデータかどうかを判定する。
【００６６】
表示装置１１への出力が不可能な場合は（ステップＳ７でＮＯ）、表示できない旨を表示し（ステップＳ８）、処理を終了する（ｅｎｄ：ステップＳ１７）。表示装置１１への出力が可能な場合は（ステップＳ７でＹＥＳ）、外部表示要求データがメールデータやテキストメモのようなテキストデータかどうかを判定する（ステップＳ９）。テキストデータと判定された場合（ステップＳ９でＹＥＳ）、ステップＳ１０で、表示用データ生成部４５（htmlデータ生成部４５ａ）がテキストデータをhtml形式に変換する。この際、表示データ取得部４７はメール保存領域７ｂから保存されたメールデータを取得し、表示用データ生成部４５にデータを渡す。
【００６７】
ステップＳ１１で、端末表示設定取得部５１が、携帯端末１の表示設定を端末表示設定保存領域（表示設定保存部）７ｄから取得する。取得した設定情報に基づき、生成するｈｔｍｌデータのフォント種別やフォントサイズ情報を更新する。
【００６８】
外部表示要求データがテキストデータでないとき（ステップＳ９でＮＯ）、外部表示要求処理部４１が、表示要求データが文書や図形ファイルのようなドキュメントファイルかどうかを判定する（ステップＳ１２）。
【００６９】
さらに、ドキュメントファイルと判定された場合（ステップＳ１２でＹＥＳ）、表示機器情報取得部５３が設定された表示装置１１について、該当するファイルをそのまま表示できるかどうかの情報を取得・判定する（ステップＳ１３）。
表示装置１１が該当ファイルをそのまま表示できない場合は（ステップＳ１３でＮＯ）、表示用データ生成部４５（画像データ生成部４５ｂ）で、ドキュメントファイルの内容を静止画データ（JPEGデータ）に変換したデータを生成する。さらに端末表示設定に基づき、元データの拡大・縮小を行う（ステップＳ１８）。表示装置１１が該当ファイルをそのまま表示できる場合は、表示用データ生成部４５（ドキュメントデータ生成部４５ｃ）が、端末表示設定に基づきドキュメントファイルのフォントサイズやフォント情報の更新を行ったデータを再生成する（ステップＳ１４）。表示要求データがドキュメントファイルでもない場合（ステップＳ１２でＮＯ）は、表示できない旨を表示し（ステップＳ８）、処理を終了する（ｅｎｄ：ステップＳ１７）。
【００７０】
続いて、ＵＲＬ生成部３１ｄで表示用データに関連づけたＵＲＬを生成し、コマンド送受信部３７がＵＲＬを付加した表示要求コマンドを表示装置１１に送信する（ステップＳ１５）。
【００７１】
ＵＲＬに対するＨＴＴＰアクセスが発生すると、リクエスト受信部３１ｂがＨＴＴＰアクセスを受信し、リクエスト解析部３１ｃが内容の解析を行う。解析された内容に基づき表示用データ生成部４５が生成したデータをレスポンス送信部３１ａに送り、データ送受信部３５を介して、表示装置１１に表示用データを提供し（ステップＳ１６）、処理を終了する（ステップＳ１７：ｅｎｄ）。
【００７２】
以上に説明したように、ユーザからの表示要求に対し、該当データが提供不可の場合は、提供処理をやめるようにしている。たとえば受信メールにプライベート設定がなされている場合は、提供をやめることで誤ってプライベートデータを外部表示機器に表示してしまうことを抑制することができる。
【表２】
2014059536.tif 000004
【００７３】
表２は、携帯端末１もしくはアプリ（メールアプリ等）の文字サイズ、フォント設定に基づき、生成するhtmlデータに用いるフォント、フォントサイズの表示設定例を示すものである。
【００７４】
文字サイズについては、<font>タグのsize属性で反映させる。また、フォント設定については、face属性で反映させる。端末設定の文字サイズに合わせて、あらかじめ定めていたsize属性値をセットするようにしている。
【００７５】
このように、表示用データ生成部４５は、表示装置１１に提供する表示データを、端末表示設定保存領域７ｄに保存した表示設定に近くなる方向に調整することが好ましい。表示データを、表示設定に近くなる方向に調整するとは、例えば、表示設定の表示サイズ、表示形態に近くなる方向に調整することである。表示設定が文字サイズが大であれば、文字サイズを大きくする方向に調整する。表示設定が文字サイズが小であれば、文字サイズを小さくする方向に調整する。表示設定がフォントがＭＳゴシックであれば、表示フォントをＭＳゴシックにする調整をする。表示設定が色の濃淡が濃い設定であれば、表示データ（図形や写真など）を濃くする方向に調整する。表示設定が、輪郭が鮮鋭になる設定であれば、表示データ（図形や写真など）を輪郭が鮮鋭になる方向に調整する。その他、種々の例が含まれることは言うまでもない。
【００７６】
本実施の形態によれば、情報提供装置の利用者が普段使用している表示設定に基づき、たとえば表示文字サイズを大きくしているならば、大きい文字サイズで、また、設定している文字フォントに合わせたフォントで外部表示装置への表示が行われるので、情報提供装置の利用者の好みや視力等に応じた表示を外部表示装置に行わせることができる。
【００７７】
次に、本発明の第２の実施の形態による情報提供装置について説明する。基本的な構成は第１の実施の形態と同様である。図９は、図６に対応するシーケンス図である。図９では、携帯端末１の表示設定だけではなく、表示装置１１側の表示サイズや表示状態も考慮して、提供するデータ生成を行うことを特徴とする。これにより、表示する機器の表示サイズが変わっても、必要以上に拡大された表示にならないような好適な表示を行うことができる。
【００７８】
まず、Ｌ３１からＬ４３までは、Ｌ１からＬ１２までと同様である。Ｌ４４において、ユーザによって設定された表示装置１１の表示サイズ情報を表示装置１１からの応答に含まれる機種名情報等から取得し、表示機器特性情報保存領域７ｅに保存する。表示装置１１からの応答に含まれる機種名情報等で表示サイズが判明しない場合は、ユーザに表示サイズの設定を促し（図７の２）の画面図）、得られた情報を保持しておくことで、表示機器特性情報保存領域７ｅから表示特性情報を取得することができる。図７の２）の画面例のように、表示装置１１の表示画面サイズを携帯端末１側で入力することもできるし、表示装置から表示画面のサイズを取得して自動的に設定することもできる。
【００７９】
そして、メールデータの表示装置１１の表示要求が発生したら（Ｔ３）、携帯端末１は表示装置１１側に現在の表示状態の問い合わせを行う（Ｌ４６）。例えば、全画面表示ではなく、情報表示画面が半分になっているような状態になっていないかを確認する（Ｌ４７）。ＴＶ１は表示装置の状態（２画面状態等での表示エリアの情報）を返却する（Ｌ４８、Ｌ４９）。
【００８０】
端末表示設定に基づき、表示用データの生成を行う際に、表示機器側の表示サイズや現在の表示エリア情報に基づき、表示用データの表示が大きくなりすぎたり、小さくなりすぎたりしないように補正を行ったうえで（Ｌ５０）、提供する。
実際の提供処理については（Ｌ５１−Ｌ５５）、図６のシーケンス図と同様である。
【表３】
2014059536.tif 000005
【００８１】
表３は、表示装置１１側の状態に基づいたhtmlへの変換例を示すものである。図６のシーケンス１同様、<font>タグ内のsize属性を用いている。携帯端末１の文字設定が同じであっても、表示装置１１のサイズが大きくなった場合は、フォントサイズ情報を小さく設定し（表３では、６から５に変更）、必要以上に大きく表示されないようにする。また、表示装置１１が２画面状態になるなどして、情報表示領域が小さくなった場合は、表示装置のサイズが小さい場合と同様の取り扱いを行えば良い。
【００８２】
図１０は、図８に対応するフローチャート図である。なお、図８のシーケンス１との差異部分のみ明示するために、ユーザが表示機器を設定するところからのフローチャートとなっている。
【００８３】
図１０に示すように、処理が開始され（ステップＳ２１）、入力部２３からの情報に基づき、表示機器設定部４３が表示装置１１を選択する（ステップＳ２２）。
表示機器設定部４３は表示装置１１から取得した機種名情報等より、表示サイズ（２０インチなど）が取得可能かどうかを判定する（ステップＳ２３）。
【００８４】
機種名情報から表示サイズが不明な場合は（ステップＳ２３でＮＯ）、図７の２）の画面図のようにユーザに設定を促し、表示装置１１のサイズ情報を取得する。取得したデータは表示機器特性情報保存領域７ｅに保存される（ステップＳ２４）。
機種名情報から２０インチなどの表示サイズ情報が取得できれば（ステップＳ２３でＹＥＳ）、その情報を表示機器特性情報保存領域７ｅに保存する（ステップＳ２５）。
【００８５】
続いて、外部表示要求処理部４１がユーザ操作により、メールデータの表示装置１１への表示要求を受け付けると、外部表示要求処理部４１は、表示用データ生成部４５に表示用データの生成を要求する（ステップＳ２６）。そして、表示用データ生成部４５が、コマンド送受信部３７を介して表示装置１１の表示状態を問い合わせる。ＴＶとＷｅｂの２画面状態になるなど、実際の表示サイズが半分になっている等の情報を得る（ステップＳ２７）。
【００８６】
表示装置１１の表示特性情報と問い合わせ結果とに基づいて、実際の表示サイズ情報を取得する（ステップＳ２８）。
表示用データ生成部４５（htmlデータ生成部４５ａ）がテキストデータをhtml形式に変換する。この際、表示データ取得部４７は、メール保存領域７ｂから保存されたメールデータを取得し、表示用データ生成部４５にデータを渡す（ステップＳ２９）。
表示用データ生成部４５（htmlデータ生成部４５ａ）が端末表示設定に基づき、フォントサイズ情報やフォント情報を設定する際に、表示機器特性情報保存領域７ｅから取得した表示装置の表示サイズや表示機器からコマンド応答により取得した実表示エリアに基づき、補正を行う（ステップＳ３０）。
【００８７】
ＵＲＬに対するＨＴＴＰアクセスが発生すると、リクエスト受信部３１ｂがＨＴＴＰアクセスを受信し、リクエスト解析部３１ｃが内容の解析を行う。解析された内容に基づき表示用データ生成部４５が生成したデータをレスポンス送信部３１ａに送り、データ送受信部３５を介して、相手側表示装置１１に表示用データを提供し、（ステップＳ３１）処理を終了する（ステップＳ３２）。
【００８８】
本実施の形態では、携帯端末１側の表示設定に加えて、表示装置１１側の表示部の表示特性を取得して、携帯端末１側で両者を考慮して表示する情報を調整し、表示装置１１側に送る。
これにより、表示装置１１側に、ユーザの設定に表示装置側の特性を加味して調整されたデータが送られるため、表示装置の特性も考慮した表示がなされる。
【００８９】
尚、複数の異なる表示特性をもつ表示装置に対して表示データを調整した後に送る場合には、それぞれの表示装置毎に調整したデータを送ることで、表示装置側での調整を不要とすることもできるし、表示装置の特性を考慮せずに送った場合には、個別の表示装置の特性に基づいて表示データを表示装置側で調整するため、送信するデータは放送のように同じにすることも可能である。
【００９０】
上記の実施の形態において、添付図面に図示されている構成等については、これらに限定されるものではなく、本発明の効果を発揮する範囲内で適宜変更することが可能である。その他、本発明の目的の範囲を逸脱しない限りにおいて適宜変更して実施することが可能である。また、本発明の各構成要素は、任意に取捨選択することができ、取捨選択した構成を具備する発明も本発明に含まれるものである。
【００９１】
例えば、上記の実施の形態では、表示設定について説明したが、音声出力の設定、動画の再生速度の設定、また、表示設定も、サイズやフォントを例にしたが、表示させる明るさ、文字の濃さなどにも適用できる。
【００９２】
また、本実施の形態で説明した機能を実現するためのプログラムをコンピュータ読み取り可能な記録媒体に記録して、この記録媒体に記録されたプログラムをコンピュータシステムに読み込ませ、実行することにより各部の処理を行ってもよい。尚、ここでいう「コンピュータシステム」とは、ＯＳや周辺機器等のハードウェアを含むものとする。
【００９３】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また前記プログラムは、前述した機能の一部を実現するためのものであっても良く、さらに前述した機能をコンピュータシステムにすでに記録されているプログラムとの組み合わせで実現できるものであっても良い。機能の少なくとも一部は、集積回路などのハードウェアで実現しても良い。
【産業上の利用可能性】
【００９４】
本発明は、携帯端末に利用可能である。
【符号の説明】
【００９５】
ＡＰ…アクセスポイント、ＡＴ…アンテナ、１…携帯端末（情報処理装置）、３…表示部、１１…表示装置、５…制御部（ＣＰＵ）、７…記憶部、７ａ…プログラム保存領域、７ｂ…メール保存領域、７ｃ…ドキュメント保存領域、７ｄ…端末表示設定保存領域（表示設定保存部）、７ｅ…表示機器特性情報保存領域、７ｆ…表示機器設定保存領域、１２…音声入力部、１５…表示部、１６…音声出力部、１７…ＷＬＡＮ通信部、２１…３Ｇ通信部、２３…入力部、２５…メモリ、２７…音声制御部、３１…ＨＴＴＰサーバ部、３１ａ…レスポンス送信部、３１ｂ…リクエスト受信部、３１ｃ…リクエスト解析部、３１ｄ…ＵＲＬ生成部、３５…データ送受信部、３７…コマンド送受信部、３９…機器検索部、４１…外部表示要求処理部、４３…表示機器設定部、４５…表示用データ生成部、４５ａ…ｈｔｍｌデータ生成部、４５ｂ…画像データ生成部、４５ｃ…ドキュメントデータ生成部、４７…表示データ取得部、５１…端末表示設定取得部、５３…表示機器情報取得部。
【図１】
2014059536.tif 000006
【図２】
2014059536.tif 000007
【図３】
2014059536.tif 000008
【図４】
2014059536.tif 000009
【図５】
2014059536.tif 000010
【図６】
2014059536.tif 000011
【図７】
2014059536.tif 000012
【図８】
2014059536.tif 000013
【図９】
2014059536.tif 000014
【図１０】
2014059536.tif 000015